(57)【要約】【課題】  表示パネルの浮き上がりを抑制する。【解決手段】  表示装置１は、表示パネル１０と表示パネルに接続されたフレキシブル基板３０を備えている。フレキシブル基板３０は、表示パネル１０の反視認側（背面側）に曲げられている。表示装置１は、さらに、フレキシブル基板３０を押圧するリブ２４を備えている。本形態において、リブ２４は表示パネル１０を収容するフレーム２０に形成されている。リブ２４が視認側からフレキシブル基板３０を押圧することによって、曲折されたフレキシブル基板３０の弾性力（反発力）によって表示パネル１０が視認側に浮き上がることを防ぐ。【選択図】  図４
2006098811.tif 000002
【特許請求の範囲】
【請求項１】
表示パネルと、
前記表示パネルを収容するフレームと、
前記表示パネルに接続され前記表示パネル端から延出し、前記表示パネルの反視認側に曲折されたフレキシブル基板と、
前記表示パネル端からの延出部において前記フレキシブル基板を視認側から押圧する押圧部と、
を有する表示装置。
【請求項２】
前記押圧部は前記フレームと一体に形成されている、請求項１に記載の表示装置。
【請求項３】
前記押圧部は、前記フレキシブル基板の曲折部を押圧する、請求項１又は２に記載の表示装置。
【請求項４】
前記押圧部は、前記フレームの一辺に沿って形成され、
前記押圧部と前記フレームの底面との間の空間を前記フレキシブル基板が貫通している、
請求項１、２又は３に記載の表示装置。
【請求項５】
前記フレームは前記底面に立設された壁部を備え、
前記押圧部の一端は前記壁部に連設され、前記押圧部の他端と該他端と隣接する壁部との間にはスペースが形成されている、
請求項４に記載の表示装置。
【請求項６】
前記押圧部は、前記表示パネルの基板を視認側において係止する係止部をさらに備えている、請求項１〜５のいずれか一項に記載の表示装置。
【請求項７】
前記係止部は前記基板の一辺における中間部を係止する、請求項６に記載の表示装置。
【発明の詳細な説明】
【技術分野】
【０００１】
本発明は表示装置に関し、特に、表示パネルに接続されたフレキシブル基板を視認側から押圧する構造に関する。
【背景技術】
【０００２】
パーソナルコンピュータ、ＴＶ、その他各種モニタ用の画像表示装置として、あるいは、携帯電話の画像表示部（例えば特許文献１）やカーナビゲーションシステムの画像表示部など、液晶表示装置の普及は目覚しいものがある。液晶表示装置としては様々なタイプのものが知られており、透過型液晶表示装置、反射型液晶表示装置、あるいは半透過半反射型液晶表示装置などが知られている。
【０００３】
例えば、透過型液晶表示装置は背面側からの透過光を使用して画像表示を行う。典型的には、透過型液晶表示装置は、液晶表示パネルと、その背面に配置されたバックライトユニットとを有する。液晶表示パネルは、その透過光を制御することにより画像表示を行う。液晶表示パネルは、２枚のガラス基板の間に液晶を封入し、液晶に印加する電界を制御することによって、透過光量を制御することができる。
【０００４】
図５は、携帯電話などの携帯端末に実装される、従来の液晶表示装置の構成を模式的に示す斜視図である。図５（ａ）は、液晶表示装置６０を視認側（前面側）から見た図であり、図５（ｂ）は、液晶表示装置６０を反視認側（背面側）から見た図である。液晶表示装置６０は、液晶表示パネル６１と、液晶表示パネル６１を収容するフレーム６２、液晶表示パネル６１の一辺６３に接続されたフレキシブル基板（以下、ＦＰＣ：Flexible Printed Circuit）６４を備えている。また、フレーム６２内部の液晶表示パネル６１背面には、バックライトユニット（不図示）が配置されている。バックライトユニットと液晶表示パネルとは遮光両面テープによって固定されている。
【０００５】
ＦＰＣ６４は、液晶表示パネル６１の一辺６３に接続され、フレーム６２の反視認側に曲折されている。又、ＦＰＣ６４は、フレーム６２の反視認側面に両面テープなどによって固定される。ＦＰＣ６４は、液晶表示パネル６１との接続部と反対側の一端に、制御回路が搭載された基板と接続される接続部６５を備えている。ＦＰＣ６４は、制御回路からの制御信号や電源などを液晶表示パネル６１に伝送する。
【０００６】
ＦＰＣ６４は液晶表示パネル６１の基板端部にＡＣＦ（Anisotropic Conductive Film）によって、物理的かつ電気的に接続されている。フレーム６２は、液晶表示パネル６１を係止するフック６６を備えている。フック６５は、液晶表示パネル６１とＦＰＣ６４が接続される辺側の２つの角にそれぞれ形成されている。フック６６は、液晶表示パネル６１を構成する基板の視認側角部と当接し、視認側に浮き上がろうとする液晶表示パネル６１を係止する。
【特許文献１】特開２００１−３２０４６５号公報
【発明の開示】
【発明が解決しようとする課題】
【０００７】
上記のように、従来の液晶表示装置６０において、ＦＰＣ６４が視認側からフレーム２０の反視認側に巻き込まれている。このため、ＦＰＣ６４の弾性による視認側方向への反発力が液晶表示パネル６１に加えられる。液晶表示パネル６１とバックライトユニットとの間を接着する遮光両面テープの粘着力が弱い場合、あるいは、遮光両面テープの接着面積が小さい場合、液晶表示パネル６１が浮いてしまう問題がある。液晶表示パネル６１が浮いてフレームから飛び出すと、外部の物体との接触によって液晶表示パネル６１が破損する可能性がある。
【０００８】
一方、上記従来の液晶表示装置６０のように、フレーム６２にフック６６を形成することによって、液晶表示パネル６１の浮き上がりを防止することができる。しかし、フック６６のみで液晶表示パネル６１を係止する場合、液晶表示パネル６１の基板に大きな力が加えられる。さらに、従来のフック６６は、液晶表示パネル６１の基板の角と接触して係止する。基板の角は強度的に弱い部分であるので、フック６５が基板を係止することによって、基板を破損しやすいという問題がある。
【０００９】
本発明は上記のような事情を背景としてなされたものであって、本発明の目的は、ＦＰＣが接続された表示パネルの視認側への浮き上がり効果的に抑制することである。
【課題を解決するための手段】
【００１０】
本発明に係る表示装置は、表示パネルと、前記表示パネルを収容するフレームと、前記表示パネルに接続され前記表示パネル端から延出し、前記表示パネルの反視認側に曲折されたフレキシブル基板と、前記表示パネル端からの延出部において前記フレキシブル基板を視認側から押圧する押圧部と、を有する。フレキシブル基板を視認側から押圧することによって、表示パネルに加えられる視認側への力を低減し、表示パネルの浮き上がりを抑制することができる。
【００１１】
前記押圧部は前記フレームと一体に形成されていることが好ましい。これによって、部品点数を増やすことなくシンプルな構成とすることができる。又、前記押圧部は、前記フレキシブル基板の曲折部を押圧することが好ましい。これによって、簡便な構造で確実にフレキシブル基板を押圧することができる。
【００１２】
前記押圧部は、前記フレームの一辺に沿って形成され、前記押圧部と前記フレームの底面との間の空間を前記フレキシブル基板が貫通していることが好ましい。これによって、フレキシブル基板を他の部品との接触から保護し、フレキシブル基板の断線を防止することができる。あるいは、フレキシブル基板をフレームの反視認側に配設することを簡便にできる。
【００１３】
前記フレームは前記底面に立設された壁部を備え、前記押圧部の一端は前記壁部に連設され、前記押圧部の他端と該他端に隣接する壁部との間にはスペースが形成されていることが好ましい。これによって、例えば、前記押圧部と前記隣接する壁部との間のスペースから、前記押圧部と前記底面との間の空間に前記フレキシブル基板を挿入可能であることができ、表示装置の製造効率を高めることができる。
【００１４】
前記押圧部は、前記表示パネルの基板を視認側において係止する係止部をさらに備えていることが好ましい。これによって、表示パネルの浮き上がりをより確実に防止することができる。さらに、前記係止部は前記基板の一辺における中間部を係止することが好ましい。これによって、基板の破損を抑制することができる。又、前記押圧部は前記フレームに一体に形成され、前記押圧部の一端は前記フレームから切り離されていることが好ましい。これによって押圧部に弾性が生じ、基板の破損をより効果的に抑制することができる。
【発明の効果】
【００１５】
本発明によれば、ＦＰＣが接続された表示パネルの視認側への浮き効果的に抑制することができる。
【発明を実施するための最良の形態】
【００１６】
以下に、本発明を適用可能な実施の形態が説明される。説明の明確化のため、以下の記載及び図面は、適宜、省略及び簡略化がなされている。尚、各図面において、同一要素には同一の符号が付されており、説明の明確化のため、必要に応じて重複説明は省略されている。
【００１７】
本実施形態の表示装置は、表示パネルと表示パネルに接続されたフレキシブル基板を備えている。フレキシブル基板は、表示パネルの反視認側（背面側）に曲げられている。表示装置は、さらに、フレキシブル基板を押圧するリブを備えている。本形態において、リブは表示パネルを収容するフレームに形成されている。リブが視認側からフレキシブル基板を押圧することによって、曲折されたフレキシブル基板の弾性力（反発力）によって表示パネルが視認側に浮き上がることを防ぐ。
【００１８】
本発明の理解の容易のため、まず、本形態の表示装置の全体構成について、簡単に説明する。図１は、本形態に係る表示装置１の全体構成を模式的に示す斜視図である。図１（ａ）は、表示装置１を視認側（前面側）から見た図であり、図１（ｂ）は、表示装置１を反視認側（背面側）から見た図である。表示装置１は、典型的には、携帯電話などの携帯端末に実装することができる。表示装置１は、表示領域１１において画像表示を行う液晶表示パネル１０と、液晶表示パネル１０を収容するフレーム２０、液晶表示パネル１０に接続されたフレキシブル基板（以下、ＦＰＣ：Flexible Printed Circuit）３０を備えている。また、図１には示されていないが、フレーム２０は、液晶表示パネル１０の背面にバックライトユニットを収容している（図４参照）。
【００１９】
液晶表示パネル１０は、様々なタイプのものを使用することができる。例えば、各画素にスイッチ素子を有するアクティブタイブの液晶表示パネル、スイッチ素子を有していないパッシブタイプの液晶表示パネル、あるいは、透過型、反射型あるいは半透過半反射型のいずれの液晶表示パネルを使用することもできる。又、ＴＮ（Twisted Nematic）モード、ＳＴＮ（Super Twisted Nematic）モード、あるいはＩＰＳ（In Plane Switching）などいずれの液晶表示パネルを使用することも可能である。又、液晶表示パネルの他に、有機ＥＬ（Electro Luminescence）表示パネルや無機ＥＬ表示パネルなどの他の態様の表示パネルを使用することもできる。
【００２０】
ＦＰＣ３０は、液晶表示パネル１０の一辺に接続され、液晶表示パネル１０の反視認側に曲げられている。フレーム２０の反視認側面には、２つのボス２１がけ形成されており、ＦＰＣ３０に形成された開口３１と嵌合することで、ＦＰＣ３０の位置決めを行う。又、ＦＰＣ３０は、フレーム２０の反視認側面に両面テープなどによって固定される。ＦＰＣ３０は、液晶表示パネル１０との接続部の反対側の一端に、制御回路が搭載された基板（制御回路基板）と接続される制御回路基板接続部３２を備えている。ＦＰＣ３０は、可撓性の絶縁基板上に形成された複数の配線を備えており、制御回路基板からの制御信号や電源などを液晶表示パネル１０に向けて伝送する。
【００２１】
次に、図２を参照してフレーム２０の構成について説明する。図２は、視認側から見たフレーム２０の構成を模式的に示す斜視図である。フレーム２０は、典型的には樹脂によって形成される。フレーム２０は、矩形状の液晶表示パネル１０を収容するように、矩形状の収容空間を備えている。フレーム２０は矩形状の底面２２と、底面２２の三辺のそれぞれに立設された壁部２３ａ、２３ｂ、２３ｃを備えている。底面２２の他の一辺には、中間部に開口が形成された壁部が形成されている。つまり、一辺の各端にそれぞれ壁部２３ｄ、２３ｅが立設されている。
【００２２】
さらに、壁部２３ｄ、２３ｅが形成されている一辺には、リブ２４が形成されている。リブ２４は押圧部の一例であって、フレキシブル基板３０を押圧する機能を備えている。この点については後に詳述する。リブ２４は、壁部２３ｄに連続して形成され、壁部２３ｄからその辺の他端（あるいは、壁部２３ｅもしくは壁部２３ｃへ向かって）直線状に延出している。
【００２３】
リブ２４と底面２２との間には空間２５が形成されており、この空間２５をフレキシブル基板３０が貫通し、フレーム３０の背面側（反視認側）に曲折される。リブ２４の一端は他の部分と接続されておらず、リブ２４と壁部２３ｅもしくは壁部２３ｃとの間には空間２６が形成されている。表示装置１の製造工程においては、空間２６からフレキシブル基板３０が空間２５に挿入される。挿入口としての空間２６を形成することによって、表示装置１の製造効率を向上することができる。
【００２４】
図３を参照して、図３（ａ）は表示装置１を視認側から見た平面図、図３（ｂ）は表示装置１をリブ２４側から見た側面図、図３（ｃ）は表示装置１を壁部２３ｃ側から側面図である。図３（ｂ）、（ｃ）に示すように、フレキシブル基板３０は、液晶表示パネル１０側からリブ２４と底面２２との間の空間２５を貫通し、フレーム２０の背面側（反視認側）に曲折されている。
【００２５】
図３（ａ）を参照すると、リブ２４には、係止部の一例である、液晶表示パネル１０側に突出するフック２４１が形成されている。フック２４１は液晶表示パネル１０の基板を係止することによって、液晶表示パネル１０の視認側への浮き上がりを防止する。フック２４１は液晶表示パネル１０を構成する基板の一辺において、基板の両角から離れ、両角の間に相当する中間部において基板を係止する。
【００２６】
フック２４１が基板中間部を係止することによって、基板の角部と係止する従来のフックと比較し、基板の割れや欠けの発生を抑制することができる。尚、好ましくは、図３に示すように、フック２４１は基板の中心を含む中央部を係止するが、角から離れた中間部において基板を係止することで基板の割れや欠けを効果的に抑制することができる。又、表示装置１は、２以上の互いに離間した複数のフックを備えることも可能である。
【００２７】
図４は、図３（ａ）におけるＩＶ−ＩＶ切断線によって示される部分の断面図である。液晶表示パネル１０の反視認側には、バックライトユニット４０の各構成部品が配置されている。フレーム２０の底面２２の上には、反射シート４０１、導光板４０２、プリズムシート４０３、４０４、拡散シート４０５の順番で、光学部材が積層配置されている。又、導光板４０２の側面に対向して、光源の一例であるＬＥＤ４０６が底面２２上に配置されている。バックライトユニット４０は、両面テープ（不図示）などのよってフレーム２０内に固定される。又、液晶表示パネル１０とバックライトユニット４０は、遮光両面テープ（不図示）などによって固定されている。
【００２８】
ＬＥＤ４０６から出射された光は、導光板４０２の側面から導光板４０２内に入射する。入射光は反射を繰り返して導光板４０２内を伝播する。導光板４０２の視認側もしくは反視認側には、光の反射角度を変化させるドット・パターンなどが形成されており、一部の光が導光板４０２の視認側面から液晶表示パネル１０に向けて出射する。導光板４０２の反視認側から出射した光は反射シート４０１によって反射され、導光板４０２に再入する。
【００２９】
導光板４０２から出射した光は、プリズムシート４０３、４０４によって集光された後、拡散シート４０５によって拡散される。これら光学シートによって、表示領域の面内輝度を向上すると同時に、面内の表示ムラを防止する。尚、プリズムシート４０３、４０４や拡散シート４０５などの光学シートについては、これらに代えて、もしくはこれらに加えて他の光学シートを使用することができる。又、ＬＥＤ４０６以外に、冷陰極管などの他の光源を使用することも可能である。
【００３０】
液晶表示パネル１０は、視認側透明基板１０１と反視認側透明基板１０２を備えている。視認側透明基板１０１と反視認側透明基板１０２は、ガラスもしくは樹脂によって形成することができる。視認側透明基板１０１と反視認側透明基板１０２との間は、ビーズスペーサや柱状スペーサによって所定間隔に維持され、２つの基板１０１、１０２の間には液晶が封入されている。視認側透明基板１０１の視認側表面と、反視認側透明基板１０２の反視認側表面とには偏光板１０３、１０４がそれぞれ配置されている。
【００３１】
偏光板１０３、１０４は、入射した光の内、透過軸方向に平行な直線偏光成分のみを透過し他の光成分を吸収する。偏光板１０３、１０４の各透過軸が所定角度になるように、偏光板１０３、１０４が配置される。尚、視認側透明基板１０１と反視認側透明基板１０２の内面側（液晶側）に偏光板１０３、１０４を形成することも可能である。
【００３２】
視認側透明基板１０１と反視認側透明基板１０２の各内面には配向膜が形成されており、液晶の配列と傾きを制御する。さらに、典型的には、視認側透明基板１０１と反視認側透明基板１０２の各内面にＩＴＯ（Indium Tin Oxide）によって電極が形成されており、選択された電極によって液晶に電界を印加することによって、各画素における液晶の透過光量を制御し、画像表示を行うことができる。尚、液晶表示パネルの画素構造は広く知られた技術であり、ここでは詳細な説明を行わない。
【００３３】
視認側透明基板１０１の反視認側表面上、フレキシブル基板３０が接続される辺側に、ドライバＩＣ１１０が搭載されている。ドライバＩＣ１１０は、液晶表示パネル１０の電極に信号を出力し、液晶に印加する電界強度を制御することによって透過光量及び画像表示を制御する。本形態のドライバＩＣ１１０は、ＣＯＧ（Chip On Glass）技術によって視認側透明基板１０１の縁部に直接に設置されている。尚、ドライバＩＣ１１０は視認側透明基板１０１上にフォトリソグラフィ技術を使用して直接に形成することができる。あるいは、ドライバＩＣ１１０をフレキシブル基板３０上に実装することも可能である。
【００３４】
ＦＰＣ３０は、視認側透明基板１０１の反視認側に電気的及び物理的に接続されている。視認側透明基板１０１上には複数の接続配線が形成されており、ＦＰＣ３０上の配線とドライバＩＣ１１０の電極とを接続する。ＦＰＣ３０と視認側透明基板１０１及びその上の接続配線とは、典型的にはＡＣＦ（Anisotropic Conductive Film）によって電気的かつ物理的に接続することができる。
【００３５】
ＦＰＣ３０は、接続された視認側透明基板１０１の基板端１０６から延出し、反視認側に曲折している。リブ２４は、ＦＰＣ３０の延出部３０３においてＦＰＣ３０に当接し、視認側からＦＰＣ３０を押圧している。図４の例においては、延出部３０３は、曲折した曲折部３０４と基板端１０６から曲折部３０４につながる部分とから構成されている。
【００３６】
リブ２４は、より具体的には、液晶表示パネル１０（視認側透明基板１０１）の表示面（主面）に対して傾いた側面２４２を備え、その側面２４２がＦＰＣ延出部３０３における曲折部３０４を押圧している。ＦＰＣ３０とリブ２４が面接触することで、効果的にＦＰＣ３０に力を加えられると共に、ＦＰＣ３０における断線などを防止することができる。図４において、矢印５１は、リブ２４がＦＰＣ３０を押圧する方向を示している。リブ２４は、ＦＰＣの曲折部３０４を、液晶表示パネル１０側に向かって、視認側から反視認側に押圧している。ここで、側面２４２は、リブ２４が形成されている辺の方向に延在している。
【００３７】
リブ２４がＦＰＣ３０を視認側から押圧することによって、ＦＰＣ３０が液晶表示パネル１０を視認側に浮き上がらせる力（矢印５２）を低減し、液晶表示パネル１０の浮きを抑制することができる。又、リブ２４が、液晶表示パネル１０及びＦＰＣ３０を外部品との接触から保護し、液晶表示パネル１０の破損やＦＰＣ３０の断線を防止する効果を奏する。
【００３８】
ここで、例えば、リブ２４は、液晶表示パネル１０の表示面（主面）に対して実質的に平行な側面を備え、その側面によってＦＰＣ延出部３０３を押圧することも可能である。この場合、押圧方向は、視認側から反視認側へ、表示面に対して実質的に垂直な方向となる。しかし、好ましくは、本形態において示したように、リブ２４が表示面に対して傾斜した側面２４２を備え、側面２４２がＦＰＣ曲折部３０４を押圧する。この構成によって、ＦＰＣ３０を視認側から確実に押圧するリブ２４を容易に製造することができる。
【００３９】
図３を参照してすでに説明したように、リブ２４には、フック２４１が形成されている。フック２４１は、リブ２４の液晶表示パネル１０側端部において、突出するように形成されている。フック２４１は、その反視認側面において視認側透明基板１０１と当接し、視認側に浮き上がろうとする液晶表示パネル１０を係止する。図４において、フック２４１は視認側透明基板１０１と接触しているが、通常状態において、フック２４１は視認側透明基板１０１と接触している、もしくは、フック２４１と視認側透明基板１０１との間にギャップが形成されていることができる。
【００４０】
リブ２４によるＦＰＣ３０の押圧に加えて、液晶表示パネル１０を係止するフック２４１をさらに備えることによって、液晶表示パネル１０の浮きをより効果的に防止することができる。また、通常状態においてフック２４１と視認側透明基板１０１とが接触している場合においても、リブ２４がＦＰＣ３０を押圧しているので、フック２４１が視認側透明基板１０１に加える力（矢印５３）が低減され、視認側透明基板１０１の割れを防止することができる。又、図２を参照して説明したように、リブ２４の一端はフレーム２０から切り離され、他の部分に接続されずフリーな状態となっている。これによって、リブ２４に適度な弾性が生じ、視認側透明基板１０１の破損を防止することができる。
【００４１】
尚、図３においては、ＦＰＣ３０は視認側透明基板１０１の反視認側に接続されているが、ＦＰＣ３０は視認側透明基板１０１の視認側もしくは反視認側透明基板１０２に接続されることも可能である。以上、本発明の実施形態を説明したが、本発明は上記実施形態に限定されるものではない。
【図面の簡単な説明】
【００４２】
【図１】本実施形態に係る表示装置の構成を模式的に示す斜視図である。
【図２】本実施形態に係るフレームの構成を模式的に示す斜視図である。
【図３】本実施形態に係る表示装置の構成を模式的に示す図である。
【図４】図３においてＩＶ−ＩＶ切断線で指示された部分の構成を模式的に示す断面図である。
【図５】従来の技術における液晶表示装置の構成を模式的に示す斜視図である。
【符号の説明】
【００４３】
１  表示装置、１０液晶表示パネル、１１  表示領域、２０  フレーム、
２０  フレキシブル基板、２１  ボス、２２  底面、２３ａ−ｅ  壁部、
２４  リブ、２５  空間、２６  空間、３０  フレキシブル基板、３１  開口、
３２  制御回路基板接続部、４０  バックライトユニット、
６０  液晶表示装置、６１  液晶表示パネル、６２  フレーム、
６３  液晶表示パネルの一辺、６５  接続部、６６  フック、
１０１  視認側透明基板、１０２  反視認側透明基板
１０３、１０４  偏光板、１０６  視認側透明基板の基板端、２４１  フック、
２４２  リブの側面、３０３  延出部、３０４  曲折部、４０１  反射シート、
４０２  導光板、４０３  プリズムシート、４０５  拡散シート
【図１】
2006098811.tif 000003
【図２】
2006098811.tif 000004
【図３】
2006098811.tif 000005
【図４】
2006098811.tif 000006
【図５】
2006098811.tif 000007